(57)【要約】【課題】表示部に視線移動しても車両前方又は後方の状況を把握することができる入力装置を提供する。【解決手段】実施の形態に係る入力装置２は、車両１の前方又は後方を撮像し、撮像情報を出力する撮像部２０と、画像を表示する表示部２３と、操作入力が可能な入力部２２と、入力部２２によって操作入力が可能な領域の画像情報を含む第１の画像情報、及び撮像情報を取得し、第１の画像情報に基づく第１の画像を撮像情報に基づく撮像画像上に重畳した画像重畳情報を生成する画像重畳情報生成部２４と、画像重畳情報に基づいた第２の画像を表示部２３に表示させるように制御する制御部２５と、を備える。【選択図】図１
2012063830.tif 000002
【特許請求の範囲】
【請求項１】
車両前方又は後方を撮像し、撮像情報を出力する撮像部と、
画像を表示する表示部と、
操作入力が可能な入力部と、
前記入力部によって操作入力が可能な領域の画像情報を含む第１の画像情報、及び前記撮像情報を取得し、前記第１の画像情報に基づく第１の画像を前記撮像情報に基づく撮像画像上に重畳した画像重畳情報を生成する画像重畳情報生成部と、
前記画像重畳情報に基づいた第２の画像を前記表示部に表示させるように制御する制御部と、
を備える入力装置。
【請求項２】
前記画像重畳情報生成部は、前記撮像画像と前記操作入力が可能な領域の画像が重なり合う領域において、前記撮像画像が、前記操作入力が可能な領域の画像を透過する前記画像重畳情報を生成する請求項１に記載の入力装置。
【請求項３】
前記画像重畳情報生成部は、前記撮像画像に前記表示部に提示すべき画像が含まれるとき、前記操作入力が可能な領域の画像の位置を前記提示画像と異なる位置に表示する前記画像重畳情報を生成する請求項１に記載の入力装置。
【発明の詳細な説明】
【技術分野】
【０００１】
本発明は、入力装置に関する。
【背景技術】
【０００２】
従来の技術として、車両の現在位置と進行方向を検出し、その検出した位置及び進行方向における案内情報を判断し、車両上で撮影した画像に案内情報による画像を重畳させて、その重畳された画像を表示させるナビゲーション装置が知られている（特許文献１参照。）。
【０００３】
このナビゲーション装置によれば、車両の進路案内が、詳細な地図データ等を必要としない構成で実現される。
【先行技術文献】
【特許文献】
【０００４】
【特許文献１】特開平１０−１３２５９８号公報
【発明の概要】
【発明が解決しようとする課題】
【０００５】
しかし、従来のナビゲーション装置は、信号及び道路標識等の運転者にとって必要な情報を示す画像上に、案内情報による画像が重畳されることが考えられ、運転者が必要な情報を把握できない可能性がある。
【０００６】
従って、本発明の目的は、表示部に視線移動しても車両前方又は後方の状況を把握することができる入力装置を提供することにある。
【課題を解決するための手段】
【０００７】
本発明の一態様は、車両前方又は後方を撮像し、撮像情報を出力する撮像部と、画像を表示する表示部と、操作入力が可能な入力部と、前記入力部によって操作入力が可能な領域の画像情報を含む第１の画像情報、及び前記撮像情報を取得し、前記第１の画像情報に基づく第１の画像を前記撮像情報に基づく撮像画像上に重畳した画像重畳情報を生成する画像重畳情報生成部と、前記画像重畳情報に基づいた第２の画像を前記表示部に表示させるように制御する制御部と、を備える入力装置を提供する。
【発明の効果】
【０００８】
本発明によれば、表示部に視線移動しても車両前方又は後方の状況を把握することができる。
【図面の簡単な説明】
【０００９】
【図１】図１は、第１の実施の形態に係る入力装置が搭載された車両内部の概略図である。
【図２】図２は、第１の実施の形態に係る入力装置と外部装置との接続関係を示すブロック図である。
【図３】図３は、第１の実施の形態に係る表示部に表示された表示画像の概略図である。
【図４】図４（ａ）は、第１の実施の形態に係る撮像画像の一部であり、（ｂ）は、外部画像情報に含まれるボタン画像の図であり、（ｃ）は、合成画像を生成する予定の領域を示す図であり、（ｄ）は、合成画像を示す図であり、（ｅ）は、表示部に表示される表示画像を示す図である。
【図５】図５は、第１の実施の形態に係るフローチャートである。
【図６】図６（ａ）、（ｂ）及び（ｄ）は、第２の実施の形態に係るボタン画像の移動に関する概略図である。図６（ｃ）は、第２の実施の形態に係るボタン画像の移動方法を示す概略図である。
【図７】図７は、第２の実施の形態に係るフローチャートである。
【発明を実施するための形態】
【００１０】
（実施の形態の要約）
実施の形態に係る入力装置は、車両前方又は後方を撮像し、撮像情報を出力する撮像部と、画像を表示する表示部と、操作入力が可能な入力部と、入力部によって操作入力が可能な領域の画像情報を含む第１の画像情報、及び撮像情報を取得し、第１の画像情報に基づく第１の画像を撮像情報に基づく撮像画像上に重畳した画像重畳情報を生成する画像重畳情報生成部と、画像重畳情報に基づいた第２の画像を表示部に表示させるように制御する制御部と、を備える。
【００１１】
[第１の実施の形態]
（入力装置２の構成）
図１は、第１の実施の形態に係る入力装置が搭載された車両内部の概略図である。図２は、第１の実施の形態に係る入力装置と外部装置との接続関係を示すブロック図である。本実施の形態では、撮像部２０は、車両１の前方を撮像するが、これに限定されず、車両１の後方を撮像しても良いし、また、車両１の前後にそれぞれ配置されても良い。車両１の後方を撮像する場合、撮像部２０は車両１の後方に配置されるが、その他の構成及び機能は、以下に示す実施の形態と同じである。
【００１２】
入力装置２は、車両１に搭載され、主に、撮像部２０と、入力部２２と、表示部２３と、画像重畳情報生成部２４と、制御部２５と、を備えて概略構成されている。また、入力装置２は、例えば、通信部２１を備えている。
【００１３】
撮像部２０は、図１に示すように、車両１の前方を撮像するため、車両１の運転席１０と助手席１１との間に設けられたセンターコンソール１２の上部のインストルメントパネル１３に設けられている。なお、撮像部２０は、例えば、ルームミラーに設けられても良いし、車両１の外側に設けられても良い。
【００１４】
この撮像部２０は、フロントガラス１４を介して車両１の前方を撮像して撮像情報を出力するように構成されている。撮像部２０は、例えば、ＣＣＤイメージセンサ（Charge Coupled Device Image Sensor）及びＣＭＯＳイメージセンサ（Complementary Metal Oxide Semiconductor Image Sensor）等の撮像素子を搭載したカメラである。
【００１５】
通信部２１は、例えば、図２に示すように、車両１に搭載された車両ＬＡＮ（Local Area Network）である車両バス３と接続されている。通信部２１は、車両バス３を介してＣＡＮ（Controller Area Network）通信を、車両バス３に接続された外部装置と行う。外部装置は、例えば、カーナビゲーション装置４、音楽再生装置５及び障害物検出システム６等である。
【００１６】
通信部２１は、例えば、車両バス３を介して外部装置から出力された第１の画像情報としての外部画像情報を取得する。この外部画像情報は、例えば、所定の画像を選択することにより、各種パラメータを入力することができる設定メニューの画像、文字を所定の欄に入力するための５０音ボタン群の画像等の情報である。外部画像情報は、例えば、含まれる画像の座標情報を有し、この座標情報をピクセル単位で変えることで、表示される位置を制御できるものとする。
【００１７】
入力部２２は、例えば、表示部２３上に配置されており、表示部２３に表示された画像が透過する透明な材料を用いて形成される。この入力部２２は、例えば、操作者の指と表示部２３上に配置された電極との静電容量からタッチ操作がなされた位置を判定するタッチセンサを含んで構成されている。入力部２２は、操作入力がなされた位置の位置情報を出力する。なお、入力部２２は、上記の静電容量方式のタッチセンサに限定されず、表面弾性波方式等であっても良い。また、入力部２２は、例えば、タッチセンサに限定されず、センターコンソール１２等に設けられたジョイスティック等の入力装置であっても良い。
【００１８】
表示部２３は、例えば、液晶ディスプレイである。表示部２３は、制御部２５により制御され、制御部２５から出力された画像表示情報に基づく画像を表示する。
【００１９】
図３は、第１の実施の形態に係る表示部に表示された表示画像の概略図である。図３では、車両１の前方を撮像した画像である撮像画像２３１と、外部装置から取得した第１の画像としての５０音ボタン画像２３２と、からなる第２の画像としての表示画像２３０が表示部２３に表示されている場合を示している。
【００２０】
画像重畳情報生成部２４は、例えば、外部装置から出力され、入力部２２によって操作入力が可能な領域の画像情報を含む外部画像情報、及び撮像部２０から出力された撮像情報を取得し、外部画像情報に基づく画像を撮像情報に基づく撮像画像上に重畳した画像重畳情報を生成するように構成されている。
【００２１】
ここで、操作入力が可能な領域の画像情報とは、例えば、図３に示すボタン画像２３３の画像情報である。図３に示す表示画像２３０に含まれる５０音ボタン画像２３２は、文字を入力する際に用いられるものであり、所望の文字を示すボタン画像にタッチ操作を行うことにより、タッチ操作がなれた文字が所定の場所に入力される。なお、操作入力が可能な領域の画像情報は、ボタン画像に限定されず、各種アイコン画像等であっても良い。
【００２２】
画像重畳情報生成部２４は、撮像された撮像画像を背景とし、その背景の上に、外部装置から取得した外部画像情報を重畳した画像を作成し、この画像を画像重畳情報として出力するように構成されている。以下に、重畳画像の生成方法の一例について説明する。
【００２３】
図４（ａ）は、第１の実施の形態に係る撮像画像の一部であり、（ｂ）は、外部画像情報に含まれるボタン画像の図であり、（ｃ）は、合成画像を生成する予定の領域を示す図であり、（ｄ）は、合成画像を示す図であり、（ｅ）は、表示部に表示される表示画像を示す図である。図４（ａ）〜（ｅ）は、画像の一部を示している。また、図４（ａ）〜（ｅ）は、紙面の左上が原点であり、横軸がｘ軸、縦軸がｙ軸である。
【００２４】
表示部２３に表示される表示画像２３０は、図４（ａ）に示すように、ピクセル２４０と呼ばれる微小領域に分割され、それぞれのピクセル２４０ごとに画素値（例えば、０〜６３。）を有する。この画素値は、例えば、撮像部２０がカラー画像を撮像する場合、１つのピクセルは、Ｒ（Red）、Ｇ（Green）及びＢ（Blue）の３つの画素値を有する。なお、撮像部２０は、ＣＭＹＫ（Cyan Magenta Yellow Key）の４つの画素値を有する画像情報を出力する構成であっても良いし、白と黒の２値の画素値を有する画像情報を出力する構成であっても良い。
【００２５】
図４（ａ）に斜線で示す領域２４２は、例えば、画素値が他の領域に比べて大きい領域である。例えば、この領域２４２の上に、近い画素値を有する、図４（ｂ）に斜線で示すボタン画像２４４を重ねた場合、ボタン画像２４４が見え難いことが考えられる。そこで、ボタン画像２４４を見易くするため、画像重畳情報生成部２４は、画素値が大きい領域２４２とボタン画像２４４との重なった領域に対して、以下の処理を行う。
【００２６】
まず、画像重畳情報生成部２４は、図４（ａ）に示す撮像画像２４１を取得すると共に、図４（ｂ）に示す、外部画像情報としての入力ボタン画像２４３を取得する。
【００２７】
次に、画像重畳情報生成部２４は、入力ボタン画像２４３と、背景の画像である撮像画像２４１とに基づいて、入力ボタン画像２４３に含まれるボタン画像２４４と重なる、画素値の大きい領域を検出する。
【００２８】
次に、画像重畳情報生成部２４は、図４（ｃ）に示すように、ボタン画像２４４と重なる、画素値が大きい領域２４２があるとき、ボタン画像２４４と同じ大きさ、及び同じ位置に合成領域２４５を設定する。
【００２９】
次に、画像重畳情報生成部２４は、合成領域２４５内における、領域２４２とボタン画像２４４のピクセル２４０ごとの画素値に所定の処理を行う。本実施の形態に係る所定の処理は、例えば、ピクセル２４０ごとの画素値を平均する処理である。つまり、合成領域２４５内の領域２４２の画素値と、ボタン画像２４４の画素値とを、対応するピクセル２４０ごとに平均化する。
【００３０】
なお、所定の処理は、上記の平均化処理に限定されず、大きい画素値から任意の値を引く処理、大きい画素値又は小さい画素値に任意の値を乗算する処理、又は、大きい画素値又は小さい画素値を任意の値で除算する処理等の処理を用途に応じて用いることができる。
【００３１】
画像重畳情報生成部２４は、平均化処理により、図４（ｄ）に右肩上がりの斜線で示す第１の透過画像２４６と、図４（ｄ）に左肩上がりの斜線で示す第２の透過画像２４７と、からなる合成画像２４８を生成する。この第１の透過画像２４６は、例えば、元のボタン画像２４４よりも画素値が小さくなっている。また、第２の透過画像２４７は、例えば、元の領域２４２よりも画素値が小さくなっている。従って、合成画像２４８は、領域２４２とボタン画像２４４を重畳する場合と比べて、視認し易くなっている。
【００３２】
次に、画像重畳情報生成部２４は、撮像画像２４１と入力ボタン画像２４３とを重畳すると共に、合成領域２４５に相当する領域を合成画像２４８に置き換えて画像重畳情報を生成する。なお、画像重畳情報生成部２４は、撮像画像２４１とボタン画像２４４が重なる領域において、撮像画像２４１を透過させずに画像重畳情報を生成しても良い。生成された画像重畳情報に基づいて表示部２３に表示された画像が、図４（ｅ）に示す表示画像２４９である。
【００３３】
制御部２５は、例えば、ＣＰＵ（Central Processing Unit）、ＲＡＭ（Random Access Memory）及びＲＯＭ（Read Only Memory）等を含んで構成される。制御部２５は、入力部２２になされた操作に基づく制御信号を生成し、生成した制御信号を通信部２１及び車両バス３を介して該当する外部装置に出力する。
【００３４】
以下に、本実施の形態に係る入力装置２の動作について、図５のフローチャートに従って説明する。以下では、例えば、操作者が音楽再生装置５を起動し、再生したい曲名を入力するために５０音ボタン画像２３２が表示される場合について説明する。
【００３５】
（動作）
まず、車両１の主電源がオン状態にされると、撮像部２０は、所定の時間間隔で車両１の前方を撮像し、撮像情報を出力する。続いて、画像重畳情報生成部２４は、撮像情報を取得する（Ｓ１）。続いて、操作者は、音楽再生装置５を起動させる。
【００３６】
次に、画像重畳情報生成部２４は、通信部２１及び車両バス３を介して音楽再生装置５から５０音ボタン画像２３２の情報を含む外部画像情報を取得する（Ｓ２）。
【００３７】
次に、画像重畳情報生成部２４は、取得した撮像情報及び外部画像情報に基づいて画像重畳情報を生成する（Ｓ３）。画像重畳情報の生成は、上記に示した通りである。
【００３８】
次に、画像重畳情報生成部２４は、生成した画像重畳情報を出力し、制御部２５を介して画像重畳情報に基づいた表示画像２３０を表示部２３に表示させる（Ｓ４）。
【００３９】
（第１の実施の形態の効果）
第１の実施の形態に係る入力装置２によれば、操作者が表示部２３に視線移動したときでも、表示画像２３０の背景が車両１の前方又は後方の画像であるので、操作者は、車両１の前方又は後方の状況を正確に把握することができる。
【００４０】
[第２の実施の形態]
第２の実施の形態は、操作者に提示すべき画像が撮像画像に存在する場合に、操作入力が可能な領域の画像を移動させる点で第１の実施の形態と異なっている。なお、以下の各実施の形態において、第１の実施の形態と同じ構成及び機能を有する部分については、第１の実施の形態と同じ符号を付し、その説明は省略するものとする。
【００４１】
図６（ａ）、（ｂ）及び（ｄ）は、第２の実施の形態に係るボタン画像の移動に関する概略図である。図６（ｃ）は、第２の実施の形態に係るボタン画像の移動方法を示す概略図である。以下に、本実施の形態に係る入力装置２の動作について、図７のフローチャートに従って説明する。
【００４２】
（動作）
画像重畳情報生成部２４は、撮像画像２３１及び外部画像情報としての５０音ボタン画像２３２を取得する（Ｓ１０）。
【００４３】
次に、画像重畳情報生成部２４は、撮像画像２３１に操作者に提示すべき画像があるか否かを判定し、提示すべき画像があるとき（Ｓ１１；Ｙｅｓ）、提示すべき画像とボタン画像２３３とが重なるか否かを判定する。画像重畳情報生成部２４は、提示すべき画像とボタン画像２３３が重なるとき（Ｓ１２；Ｙｅｓ）、ボタン画像２３３を移動させた画像重畳画像情報を生成する（Ｓ１３）。以下に、ボタン画像２３３の移動方法について説明する。
【００４４】
ここで、図６（ａ）、（ｂ）及び（ｄ）に示すボタン画像としてのボタンＢｉｊは、原点からボタン画像の左上の点までのピクセル単位の位置座標を有する。
【００４５】
図６（ａ）には、例えば、座標値（ｘ１１、ｙ１１）のボタンＢ１１、座標値（ｘ２１、ｙ２１）のボタンＢ２１、座標値（ｘ３１、ｙ３１）のボタンＢ３１等のボタン画像２３３が表示されている。このボタン画像２３３は、ｙ軸方向の間隔がｄｙであるものとする。ボタン画像２３３は、ｘ軸方向にも等間隔で並んでいる。
【００４６】
まず、画像重畳情報生成部２４は、提示すべき画像を判定した後、この提示すべき画像がボタン画像２３３と重ならない領域として、図６（ｂ）に示す提示領域２３４を設定する。この提示領域２３４は、提示すべき画像によって大きさ及び形状が異なるものとする。
【００４７】
なお、提示すべき画像とは、例えば、信号機、道路標識、横断する人や動物、沿道に居る人や動物、及び接近した車両等である。
【００４８】
次に、画像重畳情報生成部２４は、図６（ｂ）に示すように、提示領域２３４に含まれるボタン画像のうち、ｙ方向の移動によって領域外に移動させるための移動量が多いボタン画像を判定する。この判定は、ｙ方向に並ぶボタン画像ごとに行われる。
【００４９】
次に、画像重畳情報生成部２４は、例えば、移動量が多いボタン画像として、ボタンＢ１１及びボタンＢ１２を判定し、ボタンＢ１１の移動量ｄｂ１、及びボタンＢ１２の移動量ｄｂ２を算出する。以下では、主に、ボタンＢ１１の列の移動について説明する。
【００５０】
次に、画像重畳情報生成部２４は、図６（ｃ）に示すように、ボタンＢ１１の移動量ｄｂ１に基づいてボタンＢ２１〜ボタンＢ５１の移動量を算出する。他のボタンの移動量の算出は、一例として、移動量の大きいボタンＢ１１の移動量ｄｂ１から所定の値を減算して行われる。つまり、ボタンＢ２１は、左上の座標値からｄｂ１−０．９×ｄｙだけ減算した位置に移動する。ボタンＢ３１は、左上の座標値からｄｂ１−０．９×ｄｙ×２、すなわち、ｄｂ１−１．８×ｄｙだけ減算した位置に移動する。ボタンＢ４１は、左上の座標値からｄｂ１−０．９×ｄｙ×３、すなわち、ｄｂ１−２．７×ｄｙだけ減算した位置に移動する。ボタンＢ５１は、左上の座標値からｄｂ１−０．９×ｄｙ×４、すなわち、ｄｂ１−３．６×ｄｙだけ減算した位置に移動する。
【００５１】
本実施の形態に係る所定の値は、例えば、ボタンの間隔ｄｙに０．９を乗算した値、すなわち、０．９×ｄｙであり、さらに、この値を、最も移動したボタン画像の隣のボタン画像を１倍として、２、３、４倍した値である。なお、ボタン画像の移動は、例えば、ボタン画像の配列、提示領域２３４の大きさや形状によっては、最も移動量の大きいボタン画像の移動量と同じ移動量で、全てのボタン画像が移動しても良いし、これらに限定されない。また、上記ではｙ方向の移動について説明したが、ｘ方向についても、移動の必要がある場合は、上記と同様の方法によってボタン画像の移動量が算出される。
【００５２】
次に、画像重畳情報生成部２４は、算出した各ボタン画像の移動量に基づいてボタン画像を移動させ、撮像画像２３１と重畳した画像重畳情報を生成する（Ｓ１３）。
【００５３】
次に、画像重畳情報生成部２４は、生成した画像重畳情報を出力し、制御部２５を介して画像重畳情報に基づいた表示画像２３０を表示部２３に表示させる（Ｓ１４）。
【００５４】
ここで、ステップ１１において、提示すべき画像がないとき（Ｓ１１；Ｎｏ）、画像重畳情報生成部２４は、ステップ１５に処理を進める。また、ステップ１２において、提示すべき画像とボタン画像が重ならないとき（Ｓ１２；Ｎｏ）、画像重畳情報生成部２４は、ステップ１５に処理を進める。続いて、ステップ１５において、画像重畳情報生成部２４は、取得した撮像情報及び外部画像情報に基づいて画像重畳情報を生成し（Ｓ１５）、ステップ１４に処理を進める。
【００５５】
（第２の実施の形態の効果）
第２の実施の形態に係る入力装置２によれば、前方又は後方の画像に、信号や道路標識等の提示すべき画像が含まれ、操作入力が可能な領域の画像と重なる場合であっても、操作入力が可能な領域の画像を提示すべき画像と重ならないように移動するので、操作者は、車両１の前方又は後方の状況を正確に把握することができる。
【００５６】
[第３の実施の形態]
第３の実施の形態は、前方の車両に接近したとき、又は障害物に衝突しそうなとき等に表示部に撮像画像を表示させる点で上記の各実施の形態と異なっている。
【００５７】
画像重畳情報生成部２４は、例えば、通信部２１及び車両バス３を介して障害物検出システム６から障害物情報を取得し、取得した障害物情報に基づいて前方車両、又は障害物等に衝突しそうな場合において、撮像情報と画像情報を重畳した画像重畳情報を生成し、制御部２５を介して表示部２３に重畳画像を表示させる。この構成により、操作者は、例えば、車両や障害物への衝突等を回避することが可能となる。
【００５８】
なお、障害物検出システム６は、例えば、車両１の前方及び／又は後方に撮像部を有し、画像処理を行うことで、判定された車両又は障害物との距離を算出し、算出した距離に基づいて衝突の回避を行うか否かを判定するシステムである。
【００５９】
また、画像重畳情報生成部２４は、取得した障害物情報が、衝突の回避を行う情報を含むものであるとき、例えば、５０音ボタン画像２３２の色を変更したり、点滅させたりする画像重畳情報を生成するように構成されても良い。この構成により、操作者は、例えば、車両や障害物への衝突等を回避することができる。
【００６０】
さらに、画像重畳情報生成部２４は、取得した障害物情報が後方からの車両の衝突を予測するものであるとき、障害物検出システム６から後方を撮像した撮像情報を通信部２１及び車両バス３を介して取得し、当該撮像情報と外部画像情報との画像重畳情報を生成するように構成されても良い。この構成により、操作者は、例えば、後方の車両や障害物への衝突等を回避することができる。
【００６１】
（第３の実施の形態の効果）
第３の実施の形態に係る入力装置２によれば、障害物検出システム６を搭載した車両１において、障害物検出システム６からの障害物に関する情報を取得し、利用することにより、操作者は、車両１の前方又は後方の状況を正確に把握することができる。
【００６２】
以上、本発明のいくつかの実施の形態を説明したが、これらの実施の形態は、一例に過ぎず、特許請求の範囲に係る発明を限定するものではない。これら新規な実施の形態は、その他の様々な形態で実施されることが可能であり、本発明の要旨を逸脱しない範囲で、種々の省略、置き換え、変更等を行うことができる。また、これら実施の形態の中で説明した特徴の組合せの全てが発明の課題を解決するための手段に必須であるとは限らない。さらに、これら実施の形態は、発明の範囲及び要旨に含まれるとともに、特許請求の範囲に記載された発明とその均等の範囲に含まれる。
【符号の説明】
【００６３】
１…車両、２…入力装置、３…車両バス、４…カーナビゲーション装置、５…音楽再生装置、６…障害物検出システム、１０…運転席、１１…助手席、１２…センターコンソール、１３…インストルメントパネル、１４…フロントガラス、２０…撮像部、２１…通信部、２２…入力部、２３…表示部、２４…画像重畳情報生成部、２５…制御部、２３０…表示画像、２３１…撮像画像、２３２…５０音ボタン画像、２３３…ボタン画像、２３４…提示領域、２４０…ピクセル、２４１…撮像画像、２４２…領域、２４３…入力ボタン画像、２４４…ボタン画像、２４５…合成領域、２４６…第１の透過画像、２４７…第２の透過画像、２４８…合成画像、２４９…表示画像
【図１】
2012063830.tif 000003
【図２】
2012063830.tif 000004
【図３】
2012063830.tif 000005
【図４】
2012063830.tif 000006
【図５】
2012063830.tif 000007
【図６】
2012063830.tif 000008
【図７】
2012063830.tif 000009